(57)【要約】【課題】単純な構造でより高い安全性を実現でき、操作を簡単に行うことができるようにする。【解決手段】本発明の防犯ドアー１は、折りたたみ式の防弾パネル４とそれを支持する支持体８、防弾パネルの一部に施された凸凹状の組み合わせ部６とロック部８を配設することにより外部からドアーを破壊して浸入することを防ぐように構成されている。【選択図】  図１
2005146826.tif 000002
【特許請求の範囲】
【請求項１】
建物の出入り口に使用する外開き式のドアーにおいて、室内側の開放される側の垂直端部に蝶番により連結された２枚の防弾パネルのうち、ドアー側の１枚が溶接またはボルトでドアーに取り付けられていることを特徴とする防犯ドアー。
【請求項２】
外開き式の防弾機能を有するドアーにおいて、室内側の開放される側の垂直端部に蝶番により防弾パネルが取り付けられていることを特徴とする防犯ドアー。
【請求項３】
前記防弾パネル下部に床面に支持するキャスター、コマ、車輪状の支持体が取り付けられていることを特徴とする請求項１及び２記載の防犯ドアー。
【請求項４】
前記蝶番を軸として可動する防弾パネルにおいて、その防弾パネルが凸凹の面を有する金属製で、ドアーの枠部もしくは室内側壁面に配設された固定装置と噛み合わせることでドアーの開放を困難とすることを特徴とする請求項１〜３記載の防犯ドアー。
【請求項５】
前記防犯ドアーに用いるドアーノブの回転軸に円盤状の防弾板が配設されてあり、その周面の外枠に隣接する一部に磁性体が用いられていることを特徴とする防犯ドアー。
【請求項６】
前記防弾パネルが高張力アルミ板、炭素鋼板もしくはステンレス鋼板、チタン板もしくはチタン合金板、ポリカーボネイト板、アクリル板、それらの板を積層したり複合した素材であることを特徴とする請求項１〜４記載の防弾パネル。
【請求項７】
前記防弾パネルがアラミド繊維、ポリエチレン繊維、ポリアリレート繊維、ＰＢＯ繊維の織物、又は２軸、３軸、４軸の組布もしくはそれらを樹脂で固化させたパネル、又は前記請求項５記載の板にサンドイッチ状に組み合わされていることを特徴とする、防弾パネル。
【発明の詳細な説明】
【技術分野】
【０００１】  本発明は、建物の出入り口に設置される防犯用のドアーに関するものである。
【背景技術】
【０００２】  従来の防犯ドアーとして、開放することなく外部からの来訪者を確認するための視認が可能な小窓や魚眼レンズの様な視認具、開放を困難にする為の複数の錠前やドアーチェーン等が取り付けられたものがある。【０００３】  また、最近では室内からテレビカメラによって来訪者を確認してから、遠隔操作でドアーの錠前を開放すると言う手段がとられている。
【発明の開示】
【発明が解決しようとする課題】
【０００４】  しかしながら、上記防犯ドアーでは決して安全といえるものでなく、例えば次の課題がある。
（ａ）室内に住人がいて、ドアーに錠前とドアーチェーンを掛けていたとしても、昨今の浸入の手口では、ピッキングと言われている手法で簡単に錠前を解除し、ドアーチェーンに至っては大型のニッパーやカッター等で切断し、短時間に浸入されている。
（ｂ）インターホンやテレビモニターにしても、来訪を知らせるスイッチを押されてから始めて起動するものであるから、押し込み強盗などの場合にはインターホンを押さないで直接玄関ドアーを破壊して浸入してくるので用をなさない場合がある。
【課題を解決するための手段】
【０００５】  上記課題を解決するために、第１の発明に係る防犯ドアーは、建物の出入り口に使用する外開き式のドアーにおいて、室内側の開放される側の垂直端部に蝶番により連結された２枚の防弾パネルが取り付けられたように構成されている。【０００６】  また、第２の発明に係る防犯ドアーにおいて、防護板下部に床面に支持するキャスター、コマ、車輪状の支持体が取り付けられた構成になっている。【０００７】  第３の発明に係る防犯ドアーは、ドアーの室内側に蝶番で取り付けられた防弾パネルそのものが開放を困難にするための面状のストッパーの役割をするような構成になっている。【０００８】  これらの構成によれば、犯罪者、つまり不法侵入者が勝手に錠前を解除し、ドアーを開放しようとした場合に、強固な防弾パネルが面状のストッパーの役割を行うのでドアー全体をロックしてしまい開放を不可能とする。【０００９】  本発明において、ドアーに配設されたノブが錠前と一体式のものでなく、同一の回転軸により内側と外側のノブが作動するもので、ドアー内部の空間部分の軸に円盤状の防弾板が配設され、さらにその外周面の一部に磁性体が取り付けられていることを例示する。【００１０】  この構成によれば、錠前がノブに必要でなければ、構造を単純にすることが出来、より強度の有る太い軸を用いることが可能となり、銃撃で破壊され難いのであるが、穴の周囲が弱いので軸一体式の円盤状の防弾板を用いることで銃弾の浸入を食い止めることができるばかりか、円盤状の防弾板の一部とそれに接するドアー枠部に磁性体を配設することでドアーを閉めた状態に保つことが可能であり、更にドアーを開く場合においては、回転軸を回して磁性体の距離を離すことで容易にドアーを開け閉めすることができる。【００１１】  また、外側から戸締りを行う場合においても、ドアーに組み込まれた防弾パネルより外側の補強部に錠前を取り付けるようにすれば、外出する場合においても容易に戸締りが可能となり、開閉が自在な防弾パネルに錠前を組み込めばドアーの内側からドアーを完全にロックすることが可能となる。
【発明の効果】
【００１２】  本発明に係る防犯ドアーによれば、単純な構造で実現できるとともに、操作を簡単に行うことができるという優れた効果を奏する。
【発明を実施するための最良の形態】
【００１３】  図１〜図２は本発明を具体化した第１実施形態の防犯ドアーを示している。
この防犯ドアー１は、すでに建築された金融機関の通用口に設置されている既設の薄い軟鉄製のドアー２に後付けしたものであり、蝶番３で連結された２枚のチタン製防弾パネル４のドアー側の一枚を既設のドアー２にボルト５で取り付け、蝶番３で回転可能な防弾パネルの凸凹状の組み合わせ部６がドアー枠部７に配設された強固なロック部８により開放できないように固定されている。【００１４】  図３は本発明を具体化した第２実施形態の防犯ドアーを示している。
防弾機能を有するドアーの場合には蝶番による開閉可能な防弾パネルは１枚で良く、防弾パネル４に溶接等で取り付けられた蝶番３をボルト５でドアー２に直接取り付けることもでき、またロック部８を二重にすることでより強固にロックすることが可能となる。【００１５】  図４は本発明を具体化した第３実施形態の防犯ドアーに用いられる、支持体８の作用について説明する。まず、既設のドアー２に取り付けられたドアー用蝶番は、そのドアーの荷重、開け閉めによる風圧やぶらさがりに対する変位を計算して設計されているものであり、チタンのような金属製の防弾パネル４を取り付けて開閉を繰り返すと、重量に耐え切れなくなりすぐに変形して鍵の位置がずれてしまう危険性が有るため、防弾パネル４の荷重以上の支持力を持つキャスター付きの支持体が必要となるのである。【００１６】  図５は本発明を具体化した第４実施形態の防犯ドアーに用いられるドアーノブ１１を示したもので、ドアーノブの回転軸１２に取り付けられた円盤状防護板１３の周面にノブ用磁性体１４があり、ドアー枠部磁性体１５と磁力により非接触状態でお互いの磁力により引き寄せられた状態となっている。【００１７】この状態ではドアーは閉じられた状態を維持しようとするが、ドアーノブ１１を回転させることで簡単に磁性体の距離を離すことが出来るため、ドアーの開放が可能となる。このような磁性体を使用する場合、周囲に使用する円盤状防護板１３や防弾パネル４等のドアーを構成する部材は非磁性のものが好ましい。【００１８】次に、図６〜図８を参照しながら、本発明の凸凹状の面を有する防弾パネル４について説明する。銀行等の金融機関の通用口において、夜間の無人の時にはこの防弾パネル４はロック部８を解除しドアー２に折り畳まれた状態で取り付けられている。【００１９】  図７は、金融機関の通用口周辺において行われる、現金の輸送及び受け渡し時の危険を回避するための有効性を説明したもので、現金輸送は警備会社が業務を担当していることが多く、通常２名の担当者が防弾チョッキをそれぞれ着用し、１名が楯や警棒を所持して周辺を警戒しながらもう１名が行内へ現金を運び込むという作業を行っているのであるが、突然に犯罪者にその場を襲撃された場合には防弾チョッキや楯で身体全体を防御することは不可能であり、それ以上に何も装備していない銀行員は受傷する確率が高くなるのである。【００２０】  現金輸送車１６を通用口の近くに駐車させ、後部ドアー１７から現金を行内へ持ち込むのであるが、防犯ドアー２と防弾パネル４を開いた状態で一連の作業を行えば広い面積が防護されており、更に開いた状態で逃げ込みながらドアーを閉じ、行内に緊急避難することが出来るのであるが、防弾パネル４と外壁部１８に取り付けられた外部ロック部１９により防弾パネル４を開いた状態で完全に出入り口を遮断してしまえるので再度襲撃を試みても出入り口は塞がれているのである。【００２１】  また、外部ロック部１９の固定の解除方法としては、通用口内部から側面の解除レバー２０を操作することで容易に復旧させることが可能である。【００２２】  なお、本発明は前記実施形態に限定されるものではなく、例えば以下のように、発明の趣旨から逸脱しない範囲で適宜変更して具体化することもできる。
（１）防弾パネル４を複数枚に分割し蝶番３により連結することにより、曲面状に開閉することができる。
（２）防弾パネル４を多数枚蝶番で連結することでより広い面積がカバーできること。
（３）異常開放を検知するセンサーを取り付けること。
【図面の簡単な説明】
【００２３】
【図１】本発明を具体化した第１実施形態に係る防犯ドアーを示す平面図である。
【図２】同防犯ドアーのロック方法を示した斜視図である。
【図３】同防犯ドアーを示した平面図である。
【図４】同防犯ドアーの防弾パネルを支持する支持体を示す斜視図である。
【図５】同防犯ドアーのドアーノブに用いられる円盤状の防護板を示す分解斜視図である。
【図６】本発明を具体化した防犯ドアーを示す平面図である。
【図７】同防犯ドアーを外部に開き、さらに防弾パネルを開いた状態を示す平面図である。
【図８】同防犯ドアーの防弾パネルを１８０度開いた状態のまま防犯ドアーを閉じロックさせた状態を示す平面図である。
【符号の説明】
【００２４】  １  防犯ドアー
２  既設めドアー
３  蝶番
４  防弾パネル
５  ボルト
６  凸凹状の組み合わせ部
７  ドアー枠部
８  ロック部
９  支持体
１０  ドアー用蝶番
１１  ドアーノブ
１２  ドアーノブ回転軸
１３  円盤状防護板
１４  ノブ用磁性体
１５  ドアー枠部磁性体
ｌ６  現金輸送車
１７  後部ドアー
１８  外壁部
２０  外部ロック部
２１  解除レバー
【図１】
2005146826.tif 000003
【図２】
2005146826.tif 000004
【図３】
2005146826.tif 000005
【図４】
2005146826.tif 000006
【図５】
2005146826.tif 000007
【図６】
2005146826.tif 000008
【図７】
2005146826.tif 000009
【図８】
2005146826.tif 000010